(57)【要約】【課題】本発明は、各種音響機器等の電子機器に使用されるスピーカ用振動板に関するものであり、周波数特性の安定化を実現させることを目的とするものである。【解決手段】本発明のスピーカ用振動板は、少なくとも２種類以上の内部損失の異なるエリア２７ａ，２７ｂを設けたものであり、この構成とすることにより、スピーカ用振動板２７全体の物性値を維持しつつ、振動板の不要共振を低減させ安定した周波数特性を実現することができる。【選択図】図１
2005197916.tif 000002
【特許請求の範囲】
【請求項１】
抄紙工法により形成されたスピーカ用振動板であって、内部損失の異なるエリアを少なくとも２ヶ所以上設けたスピーカ用振動板。
【請求項２】
単一材料の叩解度を異ならせて内部損失の異なるエリアを少なくとも２ヶ所以上形成した請求項１記載のスピーカ用振動板。
【請求項３】
磁気回路に結合されたフレームと、このフレームの外周部に結合された振動板と、この振動板に結合されるとともに、その一部が前記磁気回路の磁気ギャップに配置されたボイスコイルとからなり、前記振動板は請求項１または請求項２記載のいずれか一つのスピーカ用振動板を用いて構成したスピーカ。
【請求項４】
請求項３記載のスピーカと、このスピーカに入力する電気信号の増幅手段を備えた電子機器。
【請求項５】
請求項３記載のスピーカを移動自在な空間体に設置した電子機器。
【発明の詳細な説明】
【技術分野】
【０００１】
本発明は音響機器等の電子機器に使用されるスピーカ用振動板およびこのスピーカ用振動板を用いたスピーカおよびこのスピーカを用いた電子機器に関するものである。
【背景技術】
【０００２】
従来のスピーカ用振動板について、図５により説明する。図５に示すように、所望の特性が達成できるように、その叩解度を調整した振動板材料で、抄紙工法によりスピーカ用振動板７を形成している。そして、このスピーカ用振動板７の外周部にエッジ９を結合している。
【０００３】
このスピーカ用振動板７の内部の状態は、単一の叩解度の繊維が一様に分布し、内部損失は均一な状態となっている。
【０００４】
尚、この出願の発明に関連する先行技術文献情報としては、例えば、特許文献１が知られている。
【特許文献１】特開昭６１−１２３３９８号公報
【発明の開示】
【発明が解決しようとする課題】
【０００５】
上述のスピーカ用振動板７は、スピーカとしての再生周波数帯域の拡大を図るため、すなわち高域限界周波数を拡大させるため、その材料物性値上、硬い材料、叩解度の高い材料を使用して形成していた。
【０００６】
ところが、スピーカとしての高域限界周波数拡大を実現できるが、スピーカ用振動板７が硬くなることにより、その内部損失が低下し、音圧周波数特性上にピークやディップが発生し、特性劣化を招くという課題を有するものであった。
【０００７】
本発明は、上記課題を解決するもので、音圧周波数特性上のピークやディップを低減させ、安定した周波数特性を実現できる優れたスピーカ用振動板を提供するものである。
【課題を解決するための手段】
【０００８】
上記課題を解決するために、本発明は以下の構成を有する。
【０００９】
本発明の請求項１に記載の発明は、抄紙工法により形成されたスピーカ用振動板であって、内部損失の異なるエリアを少なくとも２ヶ所以上設けたものであり、不要共振の発生しやすい部位には内部損失の高い材料を配する構成とすることで、不要共振を低減させ安定した周波数特性を実現することができる。
【００１０】
本発明の請求項２に記載の発明は、単一材料の叩解度を異ならせて内部損失の異なるエリアを少なくとも２ヶ所以上形成した請求項１記載のスピーカ用振動板であり、この構成とすることにより、単一材料の特長である生産性の向上と音色の統一化を図ることができる。
【００１１】
本発明の請求項３に記載の発明は、請求項１または請求項２記載のいずれか一つの振動板を用いてスピーカを構成したものであり、この構成とすることにより、スピーカ用振動板の不要共振を低減させ、周波数特性の安定したスピーカを実現することができる。
【００１２】
本発明の請求項４に記載の発明は、請求項３記載のスピーカと、このスピーカに入力する電気信号の増幅手段を備えた電子機器であり、この構成とすることにより、電子機器の周波数特性の安定化を実現させることができる。
【００１３】
本発明の請求項５に記載の発明は、請求項３記載のスピーカを移動自在な空間体に設置したものであり、この構成とすることにより、移動体におけるスピーカの周波数特性の安定化を実現させることができる。
【発明の効果】
【００１４】
以上のように、本発明のスピーカ用振動板は、抄紙工法により形成したものであり、内部損失の異なるエリアを少なくとも２ヶ所以上設けることで高域限界周波数拡大を図った状態でも振動板の不要共振を低減させ、安定した周波数特性を実現することができる。
【発明を実施するための最良の形態】
【００１５】
以下、本発明の実施の形態を図面を参照しながら説明する。
【００１６】
本発明の実施の形態を、特にスピーカ用振動板の不要共振が顕著に発生するトラック形状のスリムスピーカについて説明する。
【００１７】
（実施の形態１）
以下、実施の形態１を用いて、本発明の特に請求項１および請求項２に記載の発明について説明する。
【００１８】
図１は本発明の実施の形態１の振動板の平面図を示したものである。
【００１９】
図１に示すように、２種類の内部損失の異なる材料を抄紙工法により同一面上の異なるエリア２７ａ，２７ｂに配してスピーカ用振動板２７を形成している。
【００２０】
そして、このスピーカ用振動板２７の外周部にエッジ２９を結合構成している。
【００２１】
ここでエリア２７ａは内部損失の高い材料で、一方のエリア２７ｂは内部損失の低い材料で形成している。
【００２２】
この構成とすることにより、エリア２７ｂの内部損失の低い材料の効果によりスピーカ用振動板２７全体の物性値を維持しつつ、スピーカ用振動板２７の不要共振の発生しやすいエリア２７ａ部位には内部損失の高い材料を配することで、不要共振を低減させ安定した周波数特性を実現することができる。
【００２３】
また、本発明の請求項２に記載の発明は、上述したスピーカ用振動板２７の材料を単一材料にて実現したものであり、エリア２７ａ，２７ｂの内部損失の違いは、その材料の叩解度を異ならせることで、効果を得ている。
【００２４】
この構成とすることにより、単一材料の特長である生産性の向上と音色の統一化を図ることができる。
【００２５】
さらに、スピーカ用振動板２７の材料についても紙に限定されることなく、紙系の抄紙ができる材料であれば良い。すなわち、紙に樹脂や金属系材料さらにはマイカやカーボン等の強化フィラー類を混抄した材料を用いることで、その物性を幅広くコントロールすることが可能である。
【００２６】
（実施の形態２）
以下、実施の形態２を用いて、本発明の特に請求項３に記載の発明について説明する。
【００２７】
図２は本発明の実施の形態２のスピーカの断面図を示したものである。
【００２８】
図２に示すように、着磁されたマグネット２１を上部プレート２２および下部プレート２３により挟み込んで磁気回路２４を構成している。
【００２９】
この磁気回路２４の上部プレート２２にフレーム２６の内周を結合し、このフレーム２６の外周部に本発明の振動板２７をエッジ２９を介して接着し、このスピーカ用振動板２７にこれを駆動させるためのボイスコイル２８を結合している。
【００３０】
そして、このボイスコイル２８は磁気回路２４の磁気ギャップ２５にはまり込むように結合している。
【００３１】
この構成とすることにより、スピーカ用振動板２７の不要共振を低減させ、周波数特性の安定したスピーカを実現させることができる。
【００３２】
（実施の形態３）
以下、実施の形態３を用いて、本発明の特に請求項４に記載の発明について説明する。
【００３３】
図３は、本発明の実施の形態３の電子機器であるオーディオ用のミニコンポシステムの外観図を示したものである。
【００３４】
図３に示すように、図２のスピーカ４０をエンクロジャー４１に組込んで、スピーカシステムを構成している。そしてこのスピーカ４０と、それに入力する電気信号の増幅手段であるアンプ４２と、このアンプ４２に入力されるソースを出力するプレーヤ４３とにより、電子機器であるオーディオ用のミニコンポシステム４４を構成したものである。
【００３５】
この構成とすることにより、電子機器の周波数特性の安定化を実現させることができる。
【００３６】
（実施の形態４）
以下、実施の形態４を用いて、本発明の特に請求項５に記載の発明について説明する。
【００３７】
図４は、本発明の実施の形態４である自動車の本体５０の断面図を示したものである。
【００３８】
図４に示すように、本発明のスピーカ４０を移動自在な空間である自動車の本体５０内に設置したものである。
【００３９】
この構成とすることにより、周波数特性の安定したスピーカ４０により自動車の快適性を高めることができる。
【産業上の利用可能性】
【００４０】
本発明にかかるスピーカ用振動板は、不要共振を低減させ、周波数特性の安定化が必要な各種音響機器等の電子機器に適用できる。
【図面の簡単な説明】
【００４１】
【図１】本発明の実施の形態１におけるスピーカ用振動板の平面図
【図２】本発明の実施の形態２におけるスピーカの断面図
【図３】本発明の実施の形態３における電子機器の正面図
【図４】本発明の実施の形態４の断面図
【図５】従来の振動板の平面図
【符号の説明】
【００４２】
２１  マグネット
２２  上部プレート
２３  下部プレート
２４  磁気回路
２５  磁気ギャップ
２６  フレーム
２７  スピーカ用振動板
２７ａ  エリア
２７ｂ  エリア
２８  ボイスコイル
２９  エッジ
４０  スピーカ
４１  エンクロジャー
４２  アンプ
４３  プレーヤ
４４  ミニコンポシステム
５０  本体
【図１】
2005197916.tif 000003
【図２】
2005197916.tif 000004
【図３】
2005197916.tif 000005
【図４】
2005197916.tif 000006
【図５】
2005197916.tif 000007